(57)【要約】  【課題】本発明は、利用者が選曲したカラオケ楽曲が予約待ち行列にしたがってカラオケ演奏されるカラオケシステムに関し、予約楽曲全体のうちの所定楽曲を一括に演奏対象として特定可能とすると共に、これを既存のツールで可能とすることを目的とする。  【解決手段】カラオケ演奏が行われる空間に配置された各座席に座席検出部１７（１７Ａ〜１７Ｄ）がそれぞれ設けられると共に、当該各座席に座席ＩＤ（１Ａ，１Ｂ，２Ａ，２Ｄ）が関連付けられ、座席ＩＤが附帯されて選択された楽曲を予約楽曲登録手段３６が予約待ち行列２４Ａに登録し、座席判別手段３５が利用者の着座した座席の座席検出部１７Ａ〜１７Ｄからの検出信号を取得して座席ＩＤを判別し、演奏楽曲特定手段２７が予約待ち行列２４Ａにおける当該判別された座席ＩＤが附帯された楽曲を演奏対象とさせる構成とする。  【選択図】  図１
2008250127.tif 000002
【特許請求の範囲】
【請求項１】
利用者が選曲したカラオケ楽曲が予約待ち行列にしたがってカラオケ演奏されるカラオケシステムであって、
前記カラオケ演奏が行われる空間に配置される各座席に座席検出部がそれぞれ設けられると共に、当該各座席に座席ＩＤが関連付けられたものであり、
予約楽曲登録手段、座席判別手段及び演奏楽曲特定手段を有し、
前記予約楽曲登録手段は、前記座席ＩＤが附帯されて選択された楽曲を前記予約待ち行列に登録し、
前記座席判別手段は、前記利用者が着座した座席の座席検出部からの検出信号を取得し、当該検出信号から座席ＩＤを判別し、
前記演奏楽曲特定手段は、前記予約待ち行列における前記判別された座席ＩＤが附帯された楽曲を演奏対象とさせる、
ことを特徴とするカラオケシステム。
【発明の詳細な説明】
【技術分野】
【０００１】
本発明は、利用者が選曲したカラオケ楽曲が予約待ち行列にしたがってカラオケ演奏されるカラオケシステムに関する。
【背景技術】
【０００２】
近年、カラオケシステムは、ハードディスク装置にカラオケ楽曲のカラオケデータが多数曲分蓄積されており、演奏予約を受けとると待ち行列に登録し、リクエスト入力の順番に読み出して処理していくのが一般的である。利用者は得意とする楽曲をシステム利用毎に歌唱する傾向にあり、予約楽曲の中でも特定された所定の楽曲のみを簡易に演奏させることが利用者の便に資することとなる場合もある。
【０００３】
従来、カラオケシステムにおける演奏予約に関して、利用者が順次演奏予約していき、リクエスト順に演奏開始すると、予約者（歌唱者）が歌唱順番を把握していないと演奏時に席を離れて不在となる場合もある。そこで、予約者の在、不在を演奏予約の楽曲毎に認識することで予約者の在席時に確実に演奏開始させる、以下の特許文献等で知られている。すなわち、上記特許文献１には、カラオケ装置が楽曲を演奏する直前にその楽曲を予約したパーソナル携帯情報端末が近くにあること、換言すればその楽曲を予約した人がその場にいることを確認し、不在時には演奏をしないという技術が開示されている。
【０００４】
【特許文献１】特許第３５７３４２２号公報
【発明の開示】
【発明が解決しようとする課題】
【０００５】
しかしながら、上記特許文献１のものは、演奏対象の楽曲が演奏される直前に予約者の存在の確認を行うことから演奏するか否かの対象が当該楽曲に止まり、予約楽曲全体に対して一括に演奏させるか否かを判断することができないと共に、演奏させないとした楽曲を一括で復活させることができないという問題がある。また、使用されるパーソナル携帯情報端末はカラオケシステムにおいて必須のツールでなく、常に予約者が当該パーソナル携帯情報端末を携帯しないと機能せず所持忘れ等に対処することができないという問題がある。
【０００６】
そこで、本発明は上記課題に鑑みなされたもので、特別なツールを必要とせずに予約楽曲全体のうちの所定楽曲を一括に演奏対象として特定可能とするカラオケシステムを提供することを目的とする。
【課題を解決するための手段】
【０００７】
上記課題を解決するために、請求項１の発明では、利用者が選曲したカラオケ楽曲が予約待ち行列にしたがってカラオケ演奏されるカラオケシステムであって、前記カラオケ演奏が行われる空間に配置される各座席に座席検出部がそれぞれ設けられると共に、当該各座席に座席ＩＤが関連付けられたものであり、予約楽曲登録手段、座席判別手段及び演奏楽曲特定手段を有し、前記予約楽曲登録手段は、前記座席ＩＤが附帯されて選択された楽曲を前記予約待ち行列に登録し、前記座席判別手段は、前記利用者が着座した座席の座席検出部からの検出信号を取得し、当該検出信号から座席ＩＤを判別し、前記演奏楽曲特定手段は、前記予約待ち行列における前記判別された座席ＩＤが附帯された楽曲を演奏対象とさせる、構成とする。
【発明の効果】
【０００８】
本発明によれば、カラオケ演奏が行われる空間に配置された各座席に座席検出部がそれぞれ設けられると共に、当該各座席に座席ＩＤが関連付けられ、座席ＩＤが附帯されて選択された楽曲を予約待ち行列とする一方で、利用者が着座した座席の座席検出部からの検出信号を取得して座席ＩＤを判別し、予約待ち行列における当該判別された座席ＩＤが附帯された楽曲を演奏対象とさせる構成とすることにより、特別なツールを必要とせずに予約楽曲全体のうちの所定楽曲を一括に演奏対象として特定可能とすることができるものである。
【発明を実施するための最良の形態】
【０００９】
以下、本発明の最良の実施形態を図により説明する。本実施形態では、本発明のカラオケシステムを車載用に適用させた場合を示すが、カラオケボックス等のカラオケ演奏が行われる空間に座席ＩＤが関連付けられた座席が配置され、当該座席毎に座席検出部を設けた場合にも適用することができるものである。
【００１０】
図１に、本発明に係るカラオケシステムのブロック構成図を示す。図１において、車載用としてのカラオケシステム１１は、利用者が選曲したカラオケ楽曲の演奏データに基づきカラオケ演奏を行うものとして、カラオケ演奏装置１２と、当該カラオケ演奏装置１２に接続される表示部１３、無線式のマイク１４Ａ，１４Ｂ、スピーカ１５、リモコン装置１６、座席検出部１７（検出センサ１７Ａ〜１７Ｄ）が接続される。
【００１１】
ここで、上記表示部１３は、楽曲選曲表示やカラオケ演奏時の映像、歌詞テロップを表示するもので、後述の操作パネル３３と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１２】
上記マイク１４Ａ，１４Ｂは、例えば無線式（有線式のものでもよい）のもので、例えば、ヘッドセットマイク、ピンマイク、ヘッドレストマイク、ハンドマイクが使用可能である。上記スピーカ１５は、演奏信号及び何れかのマイク１４Ａ，１４Ｂから入力される歌唱音声信号が出力される。上記リモコン装置１６は、その構成は公知のもので十分であり、専ら歌唱楽曲を選曲や、歌唱中のキー設定、エコー設定等を行うためのものである。上記座席検出部１７は、各座席には予め座席ＩＤ（１Ａ、１Ｂ、２Ａ、２Ｂ、図２参照）が関連付けられており、当該各座席にそれぞれ検出センサ（例えば感圧センサ）１７Ａ（Ｔ１），１７Ｂ（Ｔ２），１７Ｃ（Ｔ３），１７Ｄ（Ｔ４）が配置されたものである。
【００１３】
上記カラオケ演奏装置１２は、バス２１、中央制御部２２、ＲＯＭ２３、ＲＡＭ２４、楽曲データ記憶部である楽曲ＤＢ（楽曲データベース）２５、楽曲検索手段２６、演奏楽曲特定手段２７、再生制御部２８、音楽曲出力部２９、ミキシングアンプ３０、マイク受信部３１、操作入力ＩＦ（インタフェース）３２、操作パネル３３、受信部３４、座席判別手段３５、予約楽曲登録手段３６及び履歴記憶部３７を適宜備える。
【００１４】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすと共に、所定のメモリ領域に予約楽曲を順次登録する予約待ち行列２４Ａが形成されるもので、例えば半導体メモリで構成され、仮想的にハードディスク上に構築される場合をも含む概念である。
【００１５】
上記楽曲ＤＢ２５は、楽曲コードで管理される所定数の楽曲データファイルを記憶しておくデータベースである。上記楽曲検索手段２６は、上記表示部１３（操作パネル３３）からの入力によって利用者に楽曲を検索させて選曲するためのプログラムでＲＡＭ２４に展開されて実行されるもので、利用者の着座する座席の座席ＩＤが附帯される（図３（Ａ）で説明する）。
【００１６】
ここで、上記予約楽曲登録手段３６は、利用者が上記座席ＩＤを附帯させて選択した楽曲を予約待ち行列２４Ａに順次登録させるプログラムであり、ＲＡＭ２４に展開されて実行される。また、当該予約楽曲登録手段３６は、過去に演奏されて履歴記憶部３７に記憶された楽曲を、単曲若しくは一括で予約待ち行列２４Ａに登録させる機能をも備える。
【００１７】
上記演奏楽曲特定手段２７は、上記予約待ち行列２４Ａにおける後述の座席判別手段３５で判別された座席ＩＤが附帯された楽曲を演奏対象とさせるプログラムであり、ＲＡＭ２４に展開されて実行される（予約待ち行列及び演奏対象については、図３（Ｂ）で説明する）。なお、当該演奏楽曲特定手段２７は、予約待ち行列２４Ａのうち、演奏が終了した楽曲の予約カラムを削除する。上記再生制御部２８は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。
【００１８】
上記音楽曲出力部２９は、楽曲コードで楽曲ＤＢ２５より抽出された演奏データをデジタル再生し、アナログ変換してミキシングアンプ３０に出力する電子回路である。当該ミキシングアンプ３０は、所定のマイク１４Ａ，１４Ｂよりマイク受信部３１を介して入力した歌唱者の歌唱音声信号と、当該音楽曲出力部２９より送られてくる演奏信号とをミキシングし、増幅してスピーカ１５より出力させるものである。上記マイク受信部３１は、所定のマイク１４Ａ，１４Ｂからの歌唱音声信号を受信してミキシングアンプ３０に送出するプログラム及び電子回路である。
【００１９】
上記操作入力ＩＦ３２は、操作パネル３３及びリモコン装置１６からの送信信号を受信する受信部３４からの入力信号に対して整合性をとるためのプログラムないし電子回路である。当該操作パネル３３は、上記表示部１３のユーザインタフェース機能と連動して、エコーや左右バランス、スピーカ１５からの出力音量のボリウムの他、歌唱楽曲を選曲する操作ボタン等を含んだものである。
【００２０】
上記座席判別手段３５は、利用者が着座した座席の座席検出部１７Ａ〜１７Ｄからの検出信号を取得し、当該検出信号から図示しないテーブルにより座席ＩＤを判別し、当該判別した座席ＩＤを演奏楽曲特定手段２７に送出するプログラム乃至電子回路である。
【００２１】
ここで、図２に、図１におけるカラオケシステムの車内配置の説明図を示す。図２において、例えば乗用車４１には４つの座席があるものとして、ハンドル４２のある位置が運転者の座席となる。この乗用車４１の前方に、例えばカラオケ演奏装置１２が設けられ、その近傍に表示部１３が配置される。また、前方（後方又は前方と後方）にスピーカ１５が配置される。さらに、車内にはリモコン装置１６が置かれる。
【００２２】
そして、各座席には座席ＩＤ１Ａ、１Ｂ、２Ａ、２Ｂが関連付けられており、また、各座席の例えば背もたれ部分に座席検出部１７を構成するそれぞれの感圧センサ１７Ａ〜１７Ｄが設けられる。なお、各感圧センサ１７Ａ〜１７Ｄを、例えばヘッドレストや着座シートに設けることとしてもよい。例えば、前部右座席（運転席）に対して感圧センサ１７Ａ（Ｔ１）、前部左座席（助手席）に対して感圧センサ１７Ｂ（Ｔ２）、後部右座席に対して感圧センサ１７Ｃ（Ｔ３）、後部左座席に対して感圧センサ１７Ｄ（Ｔ４）が配置される。
【００２３】
また、図３に、図１における楽曲予約表示画面及び予約管理手段における予約待ち行列の説明図を示す。図３（Ａ）は、楽曲予約のための画面が表示部１３上に表示された場合を示しており、所定の搭乗者が例えば表示部１３（操作パネル３３）を用いて楽曲検索手段２６の機能により所定の楽曲を検索し、又は他の同乗者に検索させて歌唱楽曲が選曲される際、例えば歌手名、曲名等で表示されると共に、当該画面において、歌唱者の着座する座席の座席ＩＤ（運転席１Ａ、前部左座席１Ｂ、後部右座席２Ａ、後部左座席２Ｂ）が選択される。
【００２４】
上記選曲された楽曲は、図３（Ｂ）に示すように、予約楽曲登録手段３６がＲＡＭ２４に形成した予約待ち行列２４Ａに登録する。ここでは、予約された楽曲のそれぞれをデフォルト状態として予約待ち行列２４Ａの総ての予約カラムの楽曲を演奏の対象としない（待機状態）演奏フラグを「０」とし、上記座席判別手段３５で判別された座席ＩＤに対応した予約カラムの演奏フラグが一括で「１」とされる。そして、演奏開始のときに当該予約待ち行列の演奏フラグが参照されるものである。すなわち、所定の座席に利用者が着座したときには当該座席ＩＤに対応した予約カラムが一括で演奏対象とされ、座席を離れた（降車）ときには一括で演奏対象としないこととするものである。
【００２５】
そこで、図４に図１の予約楽曲の演奏対象処理のフローチャートを示すと共に、図５に図１の予約楽曲の演奏対象処理の説明図を示す。図４では、図３に示すように、予約楽曲登録手段３６において、上記楽曲検索手段２６により、若しくは履歴記憶部３７より選択された楽曲が予約待ち行列２４Ａ（演奏フラグが総て「０」）で登録管理されていることを前提としている。
【００２６】
そして、座席判別手段３５が、座席検出部１７の各感圧センサ１７Ａ〜１７Ｄのうち、利用者（例えば運転者）が着座することで検出された検出信号を発した感圧センサ１７Ａから対応の座席ＩＤを図示しないテーブルにより判別して演奏楽曲特定手段２７に送出する（ステップ（Ｓ１））。例えば、運転者のみが着座した場合には、座席判別手段３５において検出信号を発した感圧センサ１７Ａから座席ＩＤ「１Ａ」を判別して演奏楽曲特定手段２７に送出する。
【００２７】
演奏楽曲特定手段２７では、予約待ち行列２４Ａのうちの、取得した座席ＩＤ「１Ａ」に該当する予約コラムに演奏フラグ「１」を一括で付加する（Ｓ２）。例えば、図５（Ａ）に示すように、予約待ち行列２４Ａの総ての予約カラムのうち、座席ＩＤが「１Ａ」の予約カラムの演奏フラグを「１」を付加する。
【００２８】
そこで、当該演奏楽曲特定手段２７が、演奏開始に応じて予約待ち行列２４Ａの演奏フラグが「１」の楽曲のみを順番に特定し、該当の楽曲を楽曲ＤＢ２５より抽出して背景映像データ及び歌詞テロップデータを再生制御部２８に送出させ、音楽曲データを音楽曲出力部２９に送出させることで演奏が行われる（Ｓ３）。
【００２９】
上記座席判別手段３５では、座席検出部１７からの検出信号を常に監視しており、検出信号から特定した感圧センサ１７Ａの他に、例えば助手席（前部左座席）に利用者が着座することにより新たな検出信号を取得した場合には、当該検出信号を発した感圧センサ１７Ｂから座席ＩＤ「１Ｂ」が判別され、演奏楽曲特定手段２７において座席ＩＤが「１Ｂ」の予約カラムの演奏フラグに「１」が一括で付加される（Ｓ１、Ｓ２）。この状態では、図５（Ｂ）に示すように、座席ＩＤが「１Ａ」と「１Ｂ」の予約カラムの演奏フラグが「１」となって演奏対象とされる（Ｓ３）。
【００３０】
そして、予約待ち行列２４Ａの予約カラムで演奏フラグが「１」の総ての楽曲が演奏終了されるまで繰り返されるものである（Ｓ４）。なお、演奏中の楽曲に対して前の演奏順の予約カラムにおける座席ＩＤが判別されて演奏フラグが「１」とされた場合には、演奏された楽曲の予約カラムが削除されることから、順番の若い演奏フラグ「１」の楽曲に戻って順番に演奏させることとすればよい。
【００３１】
このように、特別なツールを必要とせずに利用者が着座しているか否かで予約楽曲全体のうちの当該利用者の選択した所定楽曲を一括に演奏対象とするか否かを特定可能とすることができるものである。
【産業上の利用可能性】
【００３２】
本発明のカラオケシステムは、カラオケボックスの他に、自家用車や商用車（トラック、バスなど）の自動車、列車、飛行機、船舶内で設置されるカラオケシステムに利用可能である。
【図面の簡単な説明】
【００３３】
【図１】本発明に係るカラオケシステムのブロック構成図である。
【図２】図１におけるカラオケシステムの車内配置の説明図である。
【図３】図１における楽曲予約表示画面及び予約管理手段における予約待ち行列の説明図である。
【図４】図１の予約楽曲の演奏対象処理のフローチャートである。
【図５】図１の予約楽曲の演奏対象処理の説明図である。
【００３４】
１１            カラオケシステム
１２            カラオケ演奏装置
１７            座席検出部
２７            演奏楽曲特定手段
３５            座席判別手段
３６            予約楽曲登録手段
３７            履歴記憶部
４１            乗用車
【図１】
2008250127.tif 000003
【図２】
2008250127.tif 000004
【図３】
2008250127.tif 000005
【図４】
2008250127.tif 000006
【図５】
2008250127.tif 000007